(57)【要約】【課題】壁面の美感を損うことなく風切り音を防止することができる建物壁面構造を提供する。【解決手段】カーテンウォール２の両サイドの柱１，１間に略水平に架材４が架け渡されている。架材４から前方に突設された取付片１２，１４，１６に支持されるようにして中空セラミック製棒状建材６が略水平に設置されている。棒状建材６の後端部と架材４の前面との間には間隙Ｓが形成されており、この間隙Ｓを閉鎖するように風切り音防止部材２０が装着されている。風切り音防止部材２０の主片２２は、棒状建材６の上面の後縁部と架材４の上面の前縁部とに跨るようにして上方から間隙Ｓに覆い被さっている。主片２２は、架材４及び棒状建材６の長手方向にわたって、該架材４及び棒状建材６と平行に延在している。【選択図】  図１
2004324049.tif 000002
【特許請求の範囲】
【請求項１】
建物壁面の外面に沿って棒状建材が設置され、該棒状建材と壁面の外面とが離隔している建物壁面構造において、
該棒状建材と壁面との間の間隙を閉鎖する風切り音防止部材が設けられていることを特徴とする建物壁面構造。
【請求項２】
請求項１において、該風切り音防止部材は、その上面が棒状建材よりも上位となるように配置されていることを特徴とする建物壁面構造。
【請求項３】
請求項１又は２において、該風切り音防止部材が棒状建材に対しパッキンを介して当接していることを特徴とする建物壁面構造。
【発明の詳細な説明】
【０００１】
【発明の属する技術分野】
本発明は、建物壁面構造に係り、特に建物壁面の外面に沿って棒状建材が設置され、該棒状建材と壁面の外面とが離隔している建物壁面構造に関する。
【０００２】
【従来の技術】
建物の壁面の外面に沿って棒状建材を該外面から所定距離離隔させて設けることがある。このような棒状建材としては、目隠し材が例示される。また、近年、平坦な壁面に凹凸感を持たせて意匠性を改善するために、中空セラミック製棒状建材を壁面に沿って横引き状に設置する設計が行われることもある。
【０００３】
このように壁面から離隔させて棒状建材を設置した場合、風切り音が発生することがある。
【０００４】
特開２００２−５４２８３号公報には、複数の棒状建材を壁面に離隔させて横引き状に、且つ棒状建材相互間に若干の隙間をあけて設置した外壁において、各棒状建材と直交する方向に延在する複数本の縦棒材を棒状建材に取り付けて風切り音を抑制することが記載されている。
【０００５】
【特許文献１】
特開２００２−５４２８３号公報
【０００６】
【発明が解決しようとする課題】
上記特開２００２−５４２８３号公報のように縦棒材を設置したのでは、横引きされた棒状建材による意匠効果が著しく損なわれてしまう。
【０００７】
本発明は、壁面の美感を損うことなく風切り音を防止（抑制を含む。）することができる建物壁面構造を提供することを目的とする。
【０００８】
【課題を解決するための手段】
本発明の建物壁面構造は、建物壁面の外面に沿って棒状建材が設置され、該棒状建材と壁面の外面とが離隔している建物壁面構造において、該棒状建材と壁面との間の間隙を閉鎖する風切り音防止部材が設けられていることを特徴とするものである。かかる本発明の建物壁面構造によると、棒状建材と壁面との間の間隙が風切り音防止部材によって閉鎖されるため、風切り音が著しく低減するようになる。
【０００９】
本発明では、風切り音防止部材を、その上面が棒状建材よりも上位となるように配置するのが好ましい。このようにすれば、風切り音防止部材の上に水や埃等が溜りにくくなる。
【００１０】
本発明では、風切り音防止部材と棒状建材との間にパッキンを介在させることにより、風切り音をさらに小さくすることができる。
【００１１】
【発明の実施の形態】
以下、図面を参照して実施の形態について説明する。
【００１２】
第１図は実施の形態に係る建物壁面構造の全体斜視図、第２図は風切り音防止部材と棒状建材設置構造との分解斜視図、第３図は棒状建材設置構造の分解斜視図、第４図は風切り音防止部材の係止構造を示す分解斜視図、第５図は第１図のＶ−Ｖ線断面図、第６図は棒状建材設置構造の長手方向の端部における棒状建材の支持構造を示す分解斜視図、第７図は棒状建材設置構造の長手方向の途中部分における棒状建材の支持構造を示す分解斜視図、第８図は柱間に架け渡された架材への棒状建材取付片の係止構造を示す分解斜視図である。
【００１３】
第１図に示すように、柱１，１間にガラス製の非耐力壁が設けられたカーテンウォール２が構築されている。該柱１，１間には架材４が架け渡されており、この架材４に保持されるようにして、該カーテンウォール２の前面に棒状建材６が略水平に設置されている。この棒状建材６と架材４の前面との間には間隙Ｓが形成されており、この間隙Ｓを閉鎖するように、該架材４に風切り音防止部材２０が装着されている。
【００１４】
なお、この実施の形態では、該柱１，１間のスパンは約３ｍであり、棒状建材６の長さは約１．５ｍである。そのため、図示の通り、該柱１，１間には、２本の棒状建材６，６が互いに長手方向に連なるように一直線状に配列されて設置されている。また、風切り音防止部材２０は、この実施の形態では架材４の長手方向にわたって延在している。
【００１５】
棒状建材６は、第６図及び第７図に拡大して示すように、該棒状建材６を長手方向に貫通する貫通孔６Ａ，６Ｂを有した中空セラミック製の棒状建材である。この棒状建材６の長手方向と交叉方向の断面形状は、カーテンウォール２の前面の出入り方向に幅広で、且つ上面の前縁側が建物の外方に向って下り勾配となる斜面に形成された略台形状となっている。貫通孔６Ａ，６Ｂは、この断面内において、該カーテンウォール２の出入り方向に位置を異ならせて設けられている。
【００１６】
該貫通孔６Ａ，６Ｂには、それぞれ、金属製のサポート棒８Ａ，８Ｂが挿通されている。この実施の形態では、該サポート棒８Ａ，８Ｂは、第３図に示すように、２本の棒状建材６，６が後述の取付片１２の突片１２ｂを挟んで互いに長手方向に連なるよう一直線状に配列された状態にて、これらの棒状建材６，６の双方と突片１２ｂとを該長手方向に貫くように、各棒状建材６の貫通孔６Ａ，６Ｂにそれぞれ挿通されている。各サポート棒８Ａ，８Ｂの長さは、このように突片１２ｂを挟んで互いに長手方向に連なるよう一直線状に配列された２本の棒状建材６，６の該長手方向の最も外側に位置する両端面同士の間隔と同等か又はこの間隔よりも若干大きいものとなっている。
【００１７】
なお、この実施の形態では、該サポート棒８Ａ，８Ｂはそれぞれパイプ状の部材であり、各々の両端側の内孔の壁面には、ネジ１０Ａ，１０Ｂ（第６図）がねじ込まれる雌ねじ部（図示略）が形成されている。
【００１８】
架材４の長手方向の中間部分と両端部とには、それぞれ、該架材４の前面から前方に突出した取付片１２，１４，１６が設けられている。各棒状建材６は、これらの取付片１２，１４，１６にサポート棒８Ａ，８Ｂの長手方向の中間部分と両端部とがそれぞれ支持されることにより設置されている。
【００１９】
該取付片１２，１４，１６は、それぞれ、架材４の前面に係止されるベース１２ａ，１４ａ，１６ａと、該ベース１２ａ，１４ａ，１６ａから前方に突設された突片１２ｂ，１４ｂ，１６ｂとを有している。架材４の前面には、該架材４の長手方向に延在した係止溝１８が設けられており、この係止溝１８内に該ベース１２ａ，１４ａ，１６ａがそれぞれ係合している。
【００２０】
該係止溝１８の上縁及び下縁からは、それぞれ、該係止溝１８に係合したベース１２ａ，１４ａ，１６ａの上縁及び下縁を押えるように該係止溝１８内に張り出して各ベース１２ａ，１４ａ，１６ａの該係止溝１８からの抜け出しを阻止する押え片１８ａ，１８ｂが突設されている。
【００２１】
なお、係止溝１８の長手方向の途中部分には、該係止溝１８内にベース１２ａ，１４ａ，１６ａを出し入れするための出し入れ部１８ｃが設けられている。この出し入れ部１８ｃは、第８図に示す通り、該ベース１２ａ，１４ａ，１６ａの横幅分だけ押え片１８ａ，１８ｂを切り欠くようにして形成されている。この出し入れ部１８ｃは、第３図に示すように、該係止溝１８の長手方向の中間部分よりも一端側に近く配置されている。
【００２２】
取付片１２，１４，１６を架材４に装着するに際しては、この出し入れ部１８ｃから各々のベース１２ａ，１４ａ，１６ａを係止溝１８内に入り込ませ、それから該係止溝１８に沿って左右にスライドさせて各々の配置位置（架材４の長手方向の中間部分と両端部）に位置させる。その後、目的の配置位置において、各取付片１２，１４，１６のベース１２ａ，１４ａ，１６ａに、それぞれ押え片１８ａ，１８ｂを貫くようにしてねじ１８ｄ（第５図）をねじ込み、これらのベース１２ａ，１４ａ，１６ａを固定する。
【００２３】
架材４の中間部分に配置された取付片１２の突片１２ｂは、互いに長手方向に連なるよう一直線状に配列された２本の棒状建材６，６同士の間に介在されている。第７図に示すように、この突片１２ｂには、カーテンウォール２の前面の出入り方向に位置を異ならせて、サポート棒８Ａ，８Ｂをそれぞれ挿通可能なサポート棒挿通口１２ｃ，１２ｄが設けられている。
【００２４】
一方、架材４の両端部に配置された取付片１４，１６の突片１４ｂ，１６ｂは、上記突片１２ｂを挟んで互いに長手方向に連なるよう一直線状に配列された棒状建材６，６の該長手方向の最も外側に位置する両端面にそれぞれ当てがわれている。第６図に示すように、該突片１４ｂ，１６ｂには、それぞれ、カーテンウォール２の前面の出入り方向に位置を異ならせて、サポート棒８Ａ，８Ｂの両端側の前記雌ねじ部に通じるネジ挿通孔１４ｃ，１４ｄ及び１６ｃ，１６ｄが設けられている。
【００２５】
サポート棒８Ａ，８Ｂの中間部分は、互いに長手方向に連なるよう配列された２本の棒状建材６，６同士の間においてそれぞれ突片１２ｂのサポート棒挿通孔１２ｃ，１２ｄに挿通されて該突片１２ｂに支持されている。また、該サポート棒８Ａ，８Ｂの両端部は、各突片１４ｂ，１６ｂのネジ挿通孔１４ｃ，１４ｄ及び１６ｃ，１６ｄにそれぞれネジ１０Ａ，１０Ｂが通され、各サポート棒８Ａ，８Ｂの両端側の雌ねじ部にそれぞれこれらのネジ１０Ａ，１０Ｂがねじ込まれることにより、該突片１４ｂ，１６ｂに固着されている。
【００２６】
なお、この実施の形態では、ベース１２ａ，１４ａ，１６ａと突片１２ｂ，１４ｂ，１６ｂとはそれぞれ別体に構成されている。該ベース１２ａ，１４ａ，１６ａの前面には、それぞれ、該ベース１２ａ，１４ａ，１６ａと突片１２ｂ，１４ｂ，１６ｂの各々の基端側とを連結するための連結片１２ｅ，１４ｅ，１６ｅが形成されている。該突片１２ｂ，１４ｂ，１６ｂは、各々の基端側が該連結片１２ｅ，１４ｅ，１６ｅにネジ留めやリベット留め、或いは溶接等の固着手段によって固着されることにより、該ベース１２ａ，１４ａ，１６ａと連結されている。
【００２７】
これらの突片１２ｂ，１４ｂ，１６ｂのベース１２ａ，１４ａ，１６ａからの突出長さは、カーテンウォール２の前面の出入り方向における各棒状建材６の幅よりも大きなものとなっている。そのため、サポート棒８Ａ，８Ｂを介してこれらの突片１２ｂ，１４ｂ，１６ｂに支持された各棒状建材６の後縁部と、架材４の前面との間には、第５図に示すように、間隙Ｓが形成されている。
【００２８】
この間隙Ｓを閉鎖した風切り音防止部材２０は、第５図の通り、棒状建材６の上面の後縁部と架材４の上面の前縁部とに跨るようにして上方から該間隙Ｓに覆い被さった主片２２と、該主片２２の下面の前縁部と後縁部との途中部分から下方に向って垂設されており、間隙Ｓを通り抜けるようにして架材４の前面に沿って延在した垂下片２４と、該垂下片２４の下端から後方（建物内方）に向って略直角に曲成されており、架材４の下面に当接した押え片２６とを有している。該主片２２は、架材４及び棒状建材６の長手方向にわたって、該架材４及び棒状建材６と平行に延在している。
【００２９】
該主片２２は、この実施の形態では、上面が建物外方に向って下りの斜面となるように配置されている。この主片２２の上面の傾斜角度は、図示の通り、棒状建材６の上面の前縁側の傾斜角度と略同等となっている。
【００３０】
この主片２２の下面の前縁側には、パッキン２８が取り付けられている。このパッキン２８は該主片２２の長手方向にわたって延在している。該主片２２の前縁部は、このパッキン２８を介して棒状建材６の上面の後縁部に当接している。
【００３１】
該主片２２の下面の後縁部からは、下方に向って係止爪３０が突設されており、この主片２２の後縁部が重なった架材４の上面の前縁部には、この係止爪３０が係合した係止溝３２が形成されている。
【００３２】
風切り音防止部材２０を架材４に装着するに際しては、該係止爪３０が係止溝３２に係合するように主片２２の後縁部を架材４の上面の前縁部に重ね合わせた後、押え片２６を架材４の前面の下側の角縁部に当てがって垂下片２４を該架材４の前面に押し付ける。このようにすると、該垂下片２４及び押え片２６が弾性的に撓んで主片２２の後縁部と押え片２６との間に架材４の前部が受け入れられ、該押え片２６が架材４の下面に当接するようになる。
【００３３】
これにより、主片２２の後縁部と押え片２６とが架材４を挟持すると共に係止爪３０が係止溝３２から抜け出し不能となり、風切り音防止部材２０が架材４の前面に係止される。
【００３４】
その後、該主片２２の後縁部に設けられたネジ挿通孔２２ａ（第４図）にネジ２２ｂを通し、このネジ２２ｂを架材４のネジ孔４ａ（第４図）にねじ込んで風切り音防止部材２０を架材４に固定する。
【００３５】
このように構成された風切り音防止部材２０を備えた建物壁面構造にあっては、該風切り音防止部材２０によって棒状建材６と架材４の前面（カーテンウォール２の前面）との間の間隙Ｓが閉鎖されるため、風切り音が著しく低減される。
【００３６】
しかも、この風切り音防止部材２０の主片２２は架材４及び棒状建材６と平行に延在しているため、この風切り音防止部材２０によって建物壁面構造の美観が損われることもない。
【００３７】
この実施の形態では、該風切り音防止部材２０の主片２２が棒状建材６と架材４の上側に被さるように配置されており、且つこの主片２２の上面が建物外方に向って下りの斜面となるよう構成されているので、該風切り音防止部材２０の上に雨水や埃等が溜まりにくい。
【００３８】
また、この実施の形態では、該主片２２と棒状建材６との間にパッキン２８を介在させているので、これらの間への雨水や埃等の浸入が防止される。しかも、このパッキン２８により、該主片２２と棒状建材６との間の風の流通も防止されるため、風切り音がより一層低減される。
【００３９】
第９図は別の実施の形態に係る建物壁面構造の斜視図であり、第１０図は第９図のＸ−Ｘ線矢視図である。
【００４０】
第９図に示すように、柱４０，４０間にプレキャストコンクリート製の壁体４２が設けられ、この壁体４２の前面にタイルパネル４４が張り付けられている。このタイルパネル４４は、上下方向及び左右方向の幅がそれぞれ壁体４２の上下方向及び左右方向の幅よりも小さい略方形状のパネルである。このため、該壁体４２の前面に沿って、複数枚のタイルパネル４４が水平方向に列状に、且つ上下方向に多段に配置されている。
【００４１】
第１０図の通り、上段側に配置されたタイルパネル４４の下辺と下段側に配置されたタイルパネル４４の上辺との間に介在するように、架材４６が壁体４２の前面に略水平に取り付けられている。符号４４ａ，４４ｂは、この架材４６の上面と上段側のタイルパネル４４の下辺との間隙及び該架材４６の下面と下段側のタイルパネル４４の上辺との間隙にそれぞれ充填された目地材及びシール材を示している。この架材４６の長さは、柱４０，４０間のスパンと略同等となっている。
【００４２】
この架材４６の両端部には、それぞれ、該架材４６の前面から前方に突出した取付片４８が設けられており、この取付片４８同士の間に棒状建材５２が略水平に配置されている。この実施の形態でも、該棒状建材５２と架材４６の前面との間には間隙Ｓが形成されており、この間隙Ｓを閉鎖するように風切り音防止部材５４が装着されている。
【００４３】
該棒状建材５２は、前述の第１〜８図の棒状建材６と同様の構造を有した中空セラミック製棒状建材である。即ち、図示はしないが、該棒状建材５２には、該棒状建材５２を長手方向に貫通する貫通孔が設けられており、この貫通孔に金属製のサポート棒が挿通されている。このサポート棒の両端部が各取付片４８に支持されることにより、棒状建材５２が設置されている。
【００４４】
なお、この棒状建材５２も、壁体４２の前面の出入り方向に幅広で、且つ上面の前縁側が建物外方に向って下り勾配となる斜面に形成された略台形の断面形状となっている。この断面内において、該壁体４２の前面の出入り方向に位置を異ならせて２個の貫通孔が設けられており、これらの貫通孔にそれぞれサポート棒が挿通されている。各サポート棒の長さは、取付片４８同士の間に配置された棒状建材５２の長手方向の両端面同士の間隔と同等か又はこの間隔よりも若干大きいものとなっている。この実施の形態でも、該サポート棒はパイプ状の部材であり、各々の両端側の内孔の壁面には、ネジ５６Ａ，５６Ｂがねじ込まれる雌ねじ部が設けられている。
【００４５】
各取付片４８は、前述の第１〜８図の取付片１２，１４，１６と同様、架材４６の前面に係止されるベース４８ａと、該ベース４８ａから前方に突設された突片４８ｂとを有している。各取付片４８の突片４８ｂが棒状建材５２の長手方向の両端面にそれぞれ配置されている。
【００４６】
各突片４８ｂには、壁体４２の前面の出入り方向に位置を異ならせて、前記ネジ５６Ａ，５６Ｂが挿通されるネジ挿通孔（図示略）が設けられており、各ネジ挿通孔に該ネジ５６Ａ，５６Ｂが挿通され、各サポート棒の前記雌ねじ部にねじ込まれることにより、各サポート棒の両端部がそれぞれ該突片４８ｂに固着されている。
【００４７】
架材４６の前面には、この実施の形態でも、該架材４６の長手方向に延在した係止溝５８が設けられており、この係止溝５８内に各取付片４８のベース４８ａが係合している。この係止溝５８の上縁及び下縁からは、それぞれ、該係止溝５８に係合したベース４８ａの上縁及び下縁を押えるように該係止溝５８内に張り出した押え片５８ａ，５８ｂが突設されており、この押え片５８ａ，５８ｂにより、各ベース４８ａの該係止溝５８からの抜け出しが阻止されている。
【００４８】
なお、図示はしないが、前述の実施の形態と同様、この係止溝５８の長手方向の途中部分には、該ベース４８ａを係止溝５８内に出し入れするための出し入れ部が設けられている。この実施の形態においても、該出し入れ部は、該ベース４８ａの横幅分だけ押え片５８ａ，５８ｂを切り欠くようにして形成されている。
【００４９】
この実施の形態でも、各取付片４８を架材４６に装着するに際しては、この出し入れ部からベース４８ａを係止溝５８内に入り込ませ、それから該係止溝５８に沿って左右にスライドさせて各々の配置位置（架材４６の長手方向の両端部）に位置させる。その後、目的の配置位置において、各取付片４８のベース４８ａに、押え片５８ａ，５８ｂを貫くようにしてねじ５８ｃ（第９図）をねじ込み、ベース４８ａを固定する。
【００５０】
このベース４８ａの前面からの突片４８ｂの突出長さは、壁体４２の前面の出入り方向における各棒状建材５２の幅よりも大きなものとなっており、これにより、サポート棒を介して各突片４８ｂに支持された各棒状建材５２の後縁部と、架材４６の前面との間には、第１０図に示すように、間隙Ｓが形成されている。
【００５１】
この間隙Ｓを閉鎖した風切り音防止部材５４は、第９図の通り、該間隙Ｓに上方から覆い被さった主片６０と、該主片６０の下面の前縁部と後縁部との途中部分から下方に向って垂設されており、間隙Ｓを通り抜けるようにして架材４６の前面に沿って延在した垂下片６２と、該垂下片６２の下端から後方（建物内方）に向って略直角に曲成されており、先端が架材４６の前面の下縁部に当接した押え片６４とを有している。該主片６０は、前縁部が棒状建材５２の上面の後縁部に重なっており、後縁部が架材４６の前面の上縁部に当接している。この主片６０は、架材４６及び棒状建材５２の長手方向にわたって、該架材４６及び棒状建材５２と平行に延在している。
【００５２】
該主片６０は、上面が建物外方に向って下りの斜面となるように配置されている。この主片６０の上面の傾斜角度は、図示の通り、棒状建材５２の上面の前縁側の傾斜角度と略同等となっている。
【００５３】
この実施の形態でも、該主片６０の下面の前縁側には、パッキン６６が取り付けられている。このパッキン６６は該主片６０の長手方向にわたって延在している。該主片６０の前縁部は、このパッキン６６を介して棒状建材５２の上面の後縁部に当接している。
【００５４】
風切り音防止部材５４を架材４６に装着するに際しては、該主片６０の後縁部、垂下片６２及び／又は押え片６４を図示しない固着手段によって架材４６に固着する。
【００５５】
このように構成された風切り音防止部材５４を備えた建物壁面構造にあっても、該風切り音防止部材５４によって棒状建材５２と架材４６の前面との間の間隙Ｓが閉鎖されるため、風切り音が著しく低減される。
【００５６】
しかも、この風切り音防止部材５４の主片６０は架材４６及び棒状建材５２と平行に延在しているため、この風切り音防止部材５４によって建物壁面構造の美観が損われることもない。
【００５７】
この実施の形態でも、該風切り音防止部材５４の主片６０が棒状建材５２の上側に被さるように配置されており、且つこの主片６０の上面が建物外方に向って下りの斜面となるよう構成されているので、該風切り音防止部材５４の上に雨水や埃等が溜まりにくい。
【００５８】
また、この実施の形態でも、該主片６０と棒状建材５２との間にパッキン６６を介在させているので、これらの間への雨水や埃等の浸入が防止される。しかも、このパッキン６６により、該主片６０と棒状建材５２との間の風の流通も防止されるため、風切り音がより一層低減される。
【００５９】
上記の各実施の形態は本発明の一例であり、本発明は図示の形態に限定されるものではない。
【００６０】
例えば、上記の各実施の形態では風切り音防止部材が棒状建材の上側に配置されているが、本発明では、該風切り音防止部材は該棒状建材の下側に配置されてもよく、該棒状建材と架材との間隙内に配置されてもよい。
【００６１】
【発明の効果】
以上の通り、本発明によると、壁面の美感を損うことなく風切り音を防止ないし抑制することができる建物壁面構造が提供される。
【図面の簡単な説明】
【図１】実施の形態に係る建物壁面構造の斜視図である。
【図２】風切り音防止部材と棒状建材設置構造との分解斜視図である。
【図３】棒状建材設置構造の分解斜視図である。
【図４】風切り音防止部材の係止構造を示す分解斜視図である。
【図５】図１のＶ−Ｖ線断面図である。
【図６】棒状建材設置構造の長手方向の端部における棒状建材の支持構造を示す分解斜視図である。
【図７】棒状建材設置構造の長手方向の途中部分における棒状建材の支持構造を示す分解斜視図である。
【図８】柱間に架け渡された架材への棒状建材取付片の係止構造を示す分解斜視図である。
【図９】別の実施の形態に係る建物壁面構造の斜視図である。
【図１０】図９のＸ−Ｘ線矢視図である。
【符号の説明】
１，３０  柱
２  カーテンウォール
４，４６  架材
６，５２  棒状建材
６Ａ，６Ｂ  貫通孔
８Ａ，８Ｂ  サポート棒
１０Ａ，１０Ｂ，５６Ａ，５６Ｂ  ネジ
１２，１４，１６，４８  取付片
１２ａ，１４ａ，１６ａ，４８ａ  ベース
１２ｂ，１４ｂ，１６ｂ，４８ｂ  突片
１２ｃ，１２ｄ  サポート棒挿通孔
１４ｃ，１４ｄ，１６ｃ，１６ｄ  ネジ挿通孔
１８，５８  係止溝
２０，５４  風切り音防止部材
２２，６０  主片
２４，６２  垂下片
２６  押え片
４２  壁体
４４  タイルパネル
６４  押え片
【図１】
2004324049.tif 000003
【図２】
2004324049.tif 000004
【図３】
2004324049.tif 000005
【図４】
2004324049.tif 000006
【図５】
2004324049.tif 000007
【図６】
2004324049.tif 000008
【図７】
2004324049.tif 000009
【図８】
2004324049.tif 000010
【図９】
2004324049.tif 000011
【図１０】
2004324049.tif 000012